(57)【要約】【課題】陽極、陰極、および陽イオン交換膜が位置ズレする可能性を低減することができる電解水生成装置を提供する。【解決手段】電解水生成装置１００は、陽極Ａと、陰極Ｃと、陽極Ａと陰極Ｃとの間に設けられた陽イオン交換膜Ｉと、水が流入する流入口Ｆｉｎと、水が流出する流出口Ｆｏｕｔとを有し、陽極Ａ、陰極Ｃ、およびイオン交換膜Ｉを内包するハウジング５と、陽極Ａおよび陰極Ｃにそれぞれ電気的に接続され、ハウジング５の２つの貫通孔１Ａ，１Ｃをそれぞれ突き抜けるように所定の方向に延びる２つの給電シャフトＡＳ，ＣＳと、を備え、給電シャフトＡＳ，ＣＳおよび貫通孔１Ａ，１Ｃは、それぞれ、所定の方向における給電シャフトＡＳ，ＣＳの貫通孔１Ａ，１Ｃに対する位置ズレを抑制するように互いに係合する係合部ＳＥおよび被係合部１Ｅを含んでいる。【選択図】図１
2020011177.tif 000002
【特許請求の範囲】
【請求項１】
陽極と、
陰極と、
前記陽極と前記陰極との間に設けられた陽イオン交換膜と、
水が流入する流入口と、前記水が流出する流出口とを有し、前記陽極、前記陰極、および前記陽イオン交換膜を内包するハウジングと、
前記陽極および前記陰極にそれぞれ電気的に接続され、前記ハウジングの２つの貫通孔をそれぞれ突き抜けるように所定の方向に延びる２つの給電シャフトと、を備え、
前記給電シャフトおよび前記貫通孔は、それぞれ、前記所定の方向における前記給電シャフトの前記貫通孔に対する位置ズレを抑制するように互いに係合する係合部および被係合部を含む、電解水生成装置。
【請求項２】
前記給電シャフトは、相対的に大きな径を有し、前記所定の方向に沿って延びる第１のシャフト部分と、前記第１のシャフト部分より相対的に小さな径を有し、前記所定の方向に沿って延びる第２のシャフト部分と、を有し、
前記第１のシャフト部分と前記第２のシャフト部分との間の段差凸部によって前記係合部が構成され、
前記貫通孔は、相対的に大きな径を有し、前記所定の方向に沿って延びる第１の貫通孔部分と、前記第１の貫通孔部分より相対的に小さな径を有し、前記所定の方向に沿って延びる第２の貫通孔部分と、を有しており、
前記第１の貫通孔部分と前記第２の貫通孔部分との間の段差貫通孔によって前記被係合部が構成されている、請求項１に記載の電解水生成装置。
【請求項３】
陽極と、
陰極と、
前記陽極と前記陰極との間に設けられた陽イオン交換膜と、
水が流入する流入口と、前記水が流出する流出口とを有し、前記陽極、前記陰極、および前記陽イオン交換膜を内包するハウジングと、
前記陽極および前記陰極にそれぞれ電気的に接続され、前記ハウジングの２つの貫通孔をそれぞれ突き抜けるように所定の方向に延びる２つの給電シャフトと、を備え、
前記給電シャフトおよび前記貫通孔は、それぞれ、前記所定の方向を回転軸とする前記給電シャフトの前記貫通孔に対する回転を抑制するように互いに嵌り合う嵌合部および被嵌合部を含む、電解水生成装置。
【請求項４】
前記嵌合部は、前記所定の方向に沿って延びる前記給電シャフトの外側平面部であり、
前記被嵌合部は、前記所定の方向に沿って延びる前記貫通孔の内側平面部である、請求項３に記載の電解水生成装置。
【請求項５】
陽極と、
陰極と、
前記陽極と前記陰極との間に設けられた陽イオン交換膜と、
水が流入する流入口と、前記水が流出する流出口とを有し、前記陽極、前記陰極、および前記陽イオン交換膜を内包するハウジングと、
前記陽極および前記陰極にそれぞれ電気的に接続され、前記ハウジングの２つの貫通孔をそれぞれ突き抜けるように所定の方向に延びる２つの給電シャフトと、
前記陽極および前記陰極それぞれと前記給電シャフトとを接続する２つのバネ部と、を備えた、電解水生成装置。
【請求項６】
前記バネ部は、前記所定の方向を回転中心軸として旋回するように渦巻き状をなしている、請求項５に記載の電解水生成装置。
【発明の詳細な説明】
【技術分野】
【０００１】
本開示は、電解水生成装置に関する。
【背景技術】
【０００２】
従来から、原水を受け入れ、オゾン水等の電解水を生成する電解水生成装置の開発が行われている。従来の電解水生成装置は、陽極と、陰極と、陽極と陰極との間に設けられた陽イオン交換膜と、を備えている。また、従来の電解水生成装置は、水が流入する流入口と、水が流出する流出口とを有し、陽極、陰極、および陽イオン交換膜を内包するハウジングを備えている。さらに、従来の電解水生成装置は、陽極および陰極にそれぞれ電気的に接続され、ハウジングの２つの貫通孔をそれぞれ突き抜けるように所定の方向に延びる２つの給電シャフトと、を備えている。
【先行技術文献】
【特許文献】
【０００３】
【特許文献１】特開２０１７−１７６９９３号公報
【発明の概要】
【発明が解決しようとする課題】
【０００４】
上記の従来の電解水生成装置においては、陽極、陰極、および陽イオン交換膜を適切な位置関係に配置することにより、電解水を良好に生成することができる。しかしながら、陽極、陰極、および陽イオン交換膜の位置関係にズレが生じた場合、電解水の生成性能に劣化するおそれがある。したがって、陽極、陰極、および陽イオン交換膜を適切な位置関係を維持することが求められる。
【０００５】
本発明は、このような従来技術の有する課題に鑑みてなされたものである。そして、本発明の目的は、陽極、陰極、および陽イオン交換膜が位置ズレする可能性を低減することができる電解水生成装置を提供することである。
【課題を解決するための手段】
【０００６】
上記課題を解決するために、本開示の第１の態様の電解水生成装置は、陽極と、陰極と、前記陽極と前記陰極との間に設けられた陽イオン交換膜と、水が流入する流入口と、前記水が流出する流出口とを有し、前記陽極、前記陰極、および前記陽イオン交換膜を内包するハウジングと、前記陽極および前記陰極にそれぞれ電気的に接続され、前記ハウジングの２つの貫通孔をそれぞれ突き抜けるように所定の方向に延びる２つの給電シャフトと、を備え、前記給電シャフトおよび前記貫通孔は、それぞれ、前記所定の方向における前記給電シャフトの前記貫通孔に対する位置ズレを抑制するように互いに係合する係合部および被係合部を含む。
【０００７】
本開示の第２の態様の電解水生成装置は、陽極と、陰極と、前記陽極と前記陰極との間に設けられた陽イオン交換膜と、水が流入する流入口と、前記水が流出する流出口とを有し、前記陽極、前記陰極、および前記陽イオン交換膜を内包するハウジングと、前記陽極および前記陰極にそれぞれ電気的に接続され、前記ハウジングの２つの貫通孔をそれぞれ突き抜けるように所定の方向に延びる２つの給電シャフトと、を備え、前記給電シャフトおよび前記貫通孔は、それぞれ、前記所定の方向を回転軸とする前記給電シャフトの前記貫通孔に対する回転を抑制するように互いに嵌り合う嵌合部および被嵌合部を含む。
【０００８】
本開示の第３の態様の電解水生成装置は、陽極と、陰極と、前記陽極と前記陰極との間に設けられた陽イオン交換膜と、水が流入する流入口と、前記水が流出する流出口とを有し、前記陽極、前記陰極、および前記陽イオン交換膜を内包するハウジングと、前記陽極および前記陰極にそれぞれ電気的に接続され、前記ハウジングの２つの貫通孔をそれぞれ突き抜けるように所定の方向に延びる２つの給電シャフトと、前記陽極および前記陰極それぞれと前記給電シャフトとを接続するバネ部と、を備えている。
【発明の効果】
【０００９】
本開示の第１の態様の電解水生成装置によれば、給電シャフトが延びる所定の方向における陽極、陰極、および陽イオン交換膜の位置ズレを抑制することができる。
【００１０】
本開示の第２の態様の電解水生成装置によれば、給電シャフトが延びる所定の方向を回転中心軸とする回転方向の陽極、陰極、および陽イオン交換膜の位置ズレを抑制することができる。
【００１１】
本開示の第３の態様の電解水生成装置によれば、給電シャフトに負荷が生じても、バネ部がその負荷に基づく給電シャフトの位置ズレを吸収する。そのため、その位置ズレが陽極および陰極の少なくともいずれか一方へ悪影響を与えることを抑制することができる。
【図面の簡単な説明】
【００１２】
【図１】実施の形態の電解水生成装置の分解斜視図である。
【図２】実施の形態の電解水生成装置の幅方向に沿って切った縦断面図である。
【図３】実施の形態の電解水生成装置の陰極、バネ部、および給電シャフトの位置関係を示す部分平面図である。
【図４】実施の形態の電解水生成装置の給電シャフトの第１の斜視断面の拡大図である。
【図５】実施の形態の電解水生成装置の給電シャフトの第２の斜視断面の拡大図である。
【図６】実施の形態の電解水生成装置の他の例の陽極、バネ部、および給電シャフトの位置関係を示す部分斜視図である。
【発明を実施するための形態】
【００１３】
以下、図面を参照しながら、各実施の形態の電解水生成システムおよびそれに用いられている電解水生成装置を説明する。以下の複数の実施の形態においては、同一の参照符号が付された部分同士は、図面上における形状に多少の相違があっても、特段の記載がない限り、互いに同一の機能を有するものとする。
【００１４】
本実施の形態においては、電解水生成装置１００は、電解水としてオゾン水を生成するオゾン水生成装置である。なお、オゾン水は、殺菌または有機物分解に有効であるため、水処理分野、食品、または医学分野において利用されており、残留性が低いこと、および、副生成物が生成されないという利点を有している。
【００１５】
本明細書においては、図１のＸ方向は、水の流路に沿った方向であり、通水方向と呼ばれる。図１に示されるように、電解水生成装置１００は、Ｘ方向が長手方向となる直方体形状を有している。図１のＹ方向は、水の流路を横切る方向であり、幅方向と呼ばれる。Ｙ方向は、水平面に沿った方向であるものとする。図１のＺ方向は、電極および導電性膜が積層される方向であり、積層方向と呼ばれる。図１では、電解水生成装置１００の蓋部２が上側に位置付けられる状態で、上下方向がＺ方向として示されている。Ｘ方向、Ｙ方向、Ｚ方向は、図１に示される方向の組合せに限定されず、電解水生成装置１００は、どのような姿勢で設けられていてもよい。
【００１６】
ただし、実施の形態の電解水生成装置１００は、その流路が鉛直方向に沿って延びるような姿勢で他の装置に組み込まれることが望ましい。より具体的には、電解水生成装置１００は、その流入口Ｆｉｎが下を向き、かつ、その流出口Ｆｏｕｔが上を向くような姿勢で他の装置へ組み込むことが好ましい。言い換えると、電解水生成装置１００の姿勢は、水が下方から上方へ流れるように設定されていることが好ましい。その理由は、陽極Ａの表面で発生したオゾンが気泡成長する前に速やかに陽極Ａの表面からオゾンを引き離すことが好ましいためである。つまり、流入口Ｆｉｎが下を向き、かつ、流出口が上を向いていると、浮力によって、オゾンが速やかに陽極Ａの表面から離れるためである。これによれば、オゾンが、気泡の状態で残存することを抑制され、水に溶け込み易くなることにより、オゾン水の生成効率が向上する。ただし、電解水生成装置１００は、その流路が鉛直方向に沿って延びるような姿勢以外のいかなる姿勢で他の装置に組み込まれてもよい。
【００１７】
図１に示されるように、電解水生成装置１００は、給電体Ｆおよび陽極本体ＡＭからなる陽極Ａと、陰極Ｃと、陽極Ａと陰極Ｃとの間に設けられた陽イオン交換膜Ｉと、を備えている。本実施の形態においては、陽極Ａが陽極本体ＡＭと給電体Ｆとからなる例が示されているが、陽極Ａが１つの材料によって構成されていてもよいとともに、３以上の材料によって構成されていてもよい。
【００１８】
給電体Ｆ、陽極本体ＡＭ、陽イオン交換膜Ｉ、および陰極Ｃは、積層構造４を構成している。給電体Ｆ、陽極本体ＡＭ、イオン交換膜、および陰極Ｃは、いずれも、平板形状を有している。平板形状は、Ｘ方向、すなわち通水方向を長手方向とし、Ｙ方向、すなわち幅方向を短手方向とする長方形の平面形状を有しており、Ｚ方向、すなわち積層方向に厚さを有している。給電体Ｆ、陽極本体ＡＭ、陽イオン交換膜Ｉ、および陰極Ｃは、この順番で下から上へ向かって、Ｚ方向に積層されている。
【００１９】
陰極Ｃは、平面視においてＶ字状の貫通孔を有している。陽イオン交換膜Ｉは、通水方向を横切る方向に複数の貫通孔が設けられている。陰極Ｃは、平面視においてＶ字状の貫通孔を有している。陽イオン交換膜Ｉは、通水方向を横切る方向に複数の貫通孔が設けられている。陰極Ｃの貫通孔および陽イオン交換膜Ｉの貫通孔の中でオゾンが発生し、容器部１内の水に溶解する。これにより、オゾン水が生成される。
【００２０】
図１に示されるように、本実施の形態の電解水生成装置１００は、ハウジング５を備えている。ハウジング５は、水が流入する流入口Ｆinと、水が流出する流出口Ｆoutとを有し、陽極Ａ、陰極Ｃ、および陽イオン交換膜Ｉを内包している。ハウジング５は、給電体Ｆ、陽極Ａ、陰極Ｃ、および陽イオン交換膜Ｉを受け入れる容器部１と、容器部１の開口を閉塞する蓋部２と、を含んでいる。
【００２１】
図１および図２に示されるように、容器部１の底には、弾性体３が置かれている。弾性体３の上には、積層構造４が置かれている。蓋部２は、積層構造４を押さえ付けるように、容器部１の上面に固定されている。
【００２２】
図１および図２に示されるように、ハウジング５は、外部装置２００の凸部Ｐと嵌合する位置決め用凹部Ｔを含んでいる。そのため、電解水生成装置１００を外部装置２００に対して容易に位置決めすることができる。本実施の形態においては、位置決め用凹部Ｔは、蓋部２に設けられている。そのため、位置決め用凹部Ｔに起因した強度の低下を抑制しながら、位置決め用凹部Ｔを有する容器部１を形成することができる。ただし、位置決め用凹部Ｔは、容器部１に設けられていてもよい。また、電解水生成装置１００が、位置決め用凹部Ｔの代わりに、位置決め用凸部を有し、外部装置２００の凸部Ｐの代わりに凹部を有していてもよい。つまり、位置決め用凹部Ｔおよび凸Ｐは、互いに嵌合する形状であれば、互いにいかなる形状で置き換えられてもよい。
【００２３】
外部装置２００は、その外縁から垂れ下がる爪部２０１を有している。外部装置２００の爪部２０１が容器部１の上端から外方へ延びる鍔部１２の下側に引っ掛けられるように、電解水生成装置１００が外部装置２００の爪部２０１同士の間に挿入される。それにより、電解水生成装置１００が外部装置２００に固定される。なお、外部装置２００は、電解水生成装置１００で生成された電解水、たとえば、オゾン水を利用する装置である。
【００２４】
蓋部２は、相対的に肉厚が小さい薄肉部２１と、相対的に肉厚が大きい厚肉部２２とを含んでいる。位置決め用凹部Ｔは、厚肉部２２に設けられている。そのため、蓋部２の強度が低下することを抑制することができる。位置決め用凹部Ｔは、蓋部２の長手方向に沿って延びる溝部である。そのため、電解水生成装置１００を外部装置２００の凸部Ｐに対して安定的に位置決めすることができる。
【００２５】
蓋部２は、相対的にレーザ光を透過し易い色を有するレーザ透過性樹脂を含んでいる。容器部１は、相対的にレーザ光を吸収し易い色のレーザ吸収性樹脂を含んでいる。蓋部２のＺ方向の上側からレーザ光が薄肉部２１に照射される。それにより、薄肉部２１を透過したレーザ光が、蓋部２の薄肉部２１の下面と容器部１の上面とを加熱する。その結果、本実施の形態においては、蓋部２の薄肉部２１と容器部１とがレーザ樹脂溶着によって互いに固定される。これによれば、蓋部２と容器部１とを容易に固定することができる。なお、容器部１は、黒色またはそれに近い色を有し、蓋部２は、透明や白色またはそれに近い色を有している。
【００２６】
また、蓋部２の薄肉部２１は、蓋部２に形成された溝に容器凸部１１が挿入されている。そのため、蓋部２と容器部１とを強固に固定することができる。
【００２７】
図１に示されるように、陽極Ａには、陽極Ａ用の給電シャフトＡＳが電気的に接続されている。陽極Ａと陽極Ａ用の給電シャフトＡＳとは陽極Ａ用のバネ部Ｂを介して接続されている。陽極Ａ用の給電シャフトＡＳは、容器部１の底面に設けられた貫通孔１Ａに挿入される。陽極Ａ用の給電シャフトＡＳの容器部１の外部に突出する部分が電力供給部の正極に電気的に接続される。
【００２８】
図１に示されるように、陰極Ｃには、陰極Ｃ用の給電シャフトＣＳが電気的に接続されている。陰極Ｃと陰極Ｃ用の給電シャフトＣＳとは陰極Ｃ用のバネ部Ｂを介して接続されている。陰極Ｃ用の給電シャフトＣＳは、容器部１の底面に設けられた貫通孔１Ｃに挿入される。陰極Ｃ用の給電シャフトＣＳの容器部１の外部に突出する部分が電力供給部の負極に電気的に接続される。
【００２９】
陽極Ａ用の給電シャフトＡＳの容器部１の外部に突出する部分および陰極Ｃ用の給電シャフトＣＳの容器部１の外部に突出する部分が、それぞれ、オーリングＯ、ワッシャＷ、座金Ｓ、および六角ナットＮに挿入される。その結果、積層構造４を構成する給電体Ｆ、陽極Ａ、陽イオン交換膜Ｉ、および陰極Ｃを六角ナットＮの締め付けにより固定することができる。
【００３０】
図３〜図５に示されるように、電解水生成装置１００は、陽極Ａおよび陰極Ｃにそれぞれ電気的に接続され、ハウジング５の２つの貫通孔１Ａ，１Ｃをそれぞれ突き抜けるように所定の方向に延びる２つの給電シャフトＡＳ，ＣＳを備えている。給電シャフトＡＳ，ＣＳおよび貫通孔１Ａ，１Ｃは、それぞれ、所定の方向における給電シャフトＡＳ，ＣＳの貫通孔１Ａ，１Ｃに対する位置ズレを抑制するように互いに係合する係合部ＳＥおよび被係合部１Ｅを含んでいる。これによれば、給電シャフトＡＳ，ＣＳ延びる所定の方向、すなわち軸方向におけるズレを抑制することができる。
【００３１】
図３〜図５に示されるように、係合部ＳＥは、ハウジング５の外側のほうがハウジング５の内側よりも給電シャフトＡＳ，ＣＳの径が小さい段差凸部である。具体的には、給電シャフトＡＳおよび給電シャフトＣＳのそれぞれは、相対的に大きな径を有し、所定の方向に沿って延びる第１のシャフト部分と第１のシャフト部分より相対的に小さな径を有し、所定の方向に沿って延びる第２のシャフト部分とを有している。第１のシャフト部分は、ハウジング５の底面部から内側に延び、第２のシャフト部分は、ハウジング５の底面部から外側に延びている。係合部ＳＥは、第１のシャフト部分と第２のシャフト部分との間の段差凸部によって構成されている。
【００３２】
被係合部１Ｅは、ハウジング５の外側のほうがハウジング５の内側よりも貫通孔１Ａ，１Ｃの径が小さい段差貫通孔である。具体的には、貫通孔１Ａおよび貫通孔１Ｃのそれぞれは、相対的に大きな径を有し、所定の方向に沿って延びる第１の貫通孔部分と第１の貫通孔部分より相対的に小さな径を有し、所定の方向に沿って延びる第２の貫通孔部分とを有している。第１の貫通孔部分は、ハウジング５の底面部において内側に設けられ、第２の貫通孔部分は、ハウジング５の底面部において外側に設けられている。被係合部１Ｅは、第１の貫通孔部分と第２の貫通孔部分との間の段差貫通孔によって構成されている。
【００３３】
図３〜図５に示されるように、電解水生成装置１００は、給電シャフトＡＳ，ＣＳおよび貫通孔１Ａ，１Ｃは、それぞれ、互いに嵌り合う嵌合部ＳＦおよび被嵌合部１Ｆを含んでいる。それにより、所定の方向を回転軸とする給電シャフトＡＳの貫通孔１Ａに対する回転および所定の方向を回転軸とする給電シャフトＣＳの貫通孔１Ｃに対する回転を抑制することができる。つまり、給電シャフトＡＳ，ＣＳのそれぞれの所定の方向の回りの回転を抑制することができる。
【００３４】
本実施の形態においては、嵌合部ＳＦは、所定の方向に沿って延びる給電シャフトＡＳ，ＣＳのそれぞれの外側平面部であり、被嵌合部１Ｆは、所定の方向に沿って延びる貫通孔１Ａ，１Ｃのそれぞれの内側平面部である。そのため、嵌合部ＳＦおよび被嵌合部１Ｆのそれぞれを容易に形成することができる。ただし、嵌合部ＳＦおよび被嵌合部１Ｆは、互いに嵌り合うことによって、給電シャフトＡＳおよび給電シャフトＣＳのそれぞれが所定の方向のまわりに回転することを抑制するものであれば、いかなる形状を有していてもよい。
【００３５】
電解水生成装置１００は、陽極Ａおよび陰極Ｃそれぞれと給電シャフトＡＳ，ＣＳとを接続する２つのバネ部Ｂを備えている。バネ部Ｂが陽極Ａと陽極Ａ用の給電シャフトＡＳとの間の位置ズレ、および、陰極Ｃと陰極Ｃ用の給電シャフトＣＳとの間の位置ズレを吸収する。そのため、給電シャフトＡＳ，ＣＳに負荷が生じても、バネ部Ｂがその負荷に基づく給電シャフトＡＳ，ＣＳの位置ズレを吸収するため、その位置ズレが陽極本体ＡＭおよび陰極Ｃの少なくともいずれか一方へ悪影響が生じることを抑制することができる。
【００３６】
図３〜図５に示されるように、バネ部Ｂは、所定の方向を回転中心軸として旋回するように渦巻き状をなしている。そのため、バネ部Ｂが陽極Ａと陽極Ａ用の給電シャフトＡＳとの間の位置ズレ、および、陰極Ｃと陰極Ｃ用の給電シャフトＣＳとの間の位置ズレをより効果的に吸収する。その結果、その位置ズレが陽極Ａおよび陰極Ｃの少なくともいずれか一方へ悪影響を及ぼすことをより効果的に抑制することができる。
【００３７】
バネ部Ｂは、いかなる形状を有していてもよく、たとえば、図６に示されるような形状であってもよい。また、本実施の形態においては、２つのバネ部Ｂは、それぞれ、陰極Ｃおよび陽極Ａと一体的に形成されているが、別個独立して形成されたバネ部品が陰極Ｃおよび陽極Ａのそれぞれに固定されたものであってもよい。
【００３８】
実施の形態の電解水生成装置１００は、オゾン水を生成するオゾン水生成装置であるが、生成させる物質はオゾンに限定されない。たとえば、電解水生成装置は、次亜塩素酸を生成することにより、殺菌作用を発揮するものであってもよい。また、電解水生成装置は、酸素水、水素水、塩素含有水、または過酸化水素水等を生成するものであってもよい。
【００３９】
本実施の形態の電解水生成装置１００の陽極Ａは、導電性シリコン、導電性ダイヤモンド、チタン、白金、酸化鉛、または酸化タンタル等の電解水を生成することができ、導電性および耐久性を有するのであれば、いかなる物質により構成されていてもよい。たとえば、陽極本体ＡＭが導電性ダイヤモンドで構成されており、給電体Ｆがチタンで構成されている。また、陽極Ａがダイヤモンド電極である場合、陽極Ａの製造方法は、成膜による製造方法に限定されず、また、金属以外の材料を用いるものであってもよい。
【００４０】
陰極Ｃは、導電性と耐久性を備えた電極であればよく、例えば白金やチタン、ステンレス、導電性シリコンなどで構成することも可能である。
【００４１】
本実施の形態の電解水生成装置１００は、電解処理した液中の電解水生成濃度を高めることを可能にするための装置に取り付けることによって使用することができる。その装置は、たとえば、浄水装置等の水処理機器、洗濯機、食洗機、温水洗浄便座、冷蔵庫、給湯給水装置、殺菌装置、医療用機器、空調機器、または厨房機器等である。
【００４２】
以下、実施の形態の電解水生成装置１００の特徴的構成およびそれにより得られる効果が述べられる。
【００４３】
（１）  電解水生成装置１００は、陽極Ａと、陰極Ｃと、陽極Ａと陰極Ｃとの間に設けられた陽イオン交換膜Ｉと、を備えている。電解水生成装置１００は、水が流入する流入口Ｆｉｎと、水が流出する流出口Ｆｏｕｔとを有し、陽極Ａ、陰極Ｃ、およびイオン交換膜Ｉを内包するハウジング５を備えている。電解水生成装置１００は、陽極Ａおよび陰極Ｃにそれぞれ電気的に接続され、ハウジング５の２つの貫通孔１Ａ，１Ｃをそれぞれ突き抜けるように所定の方向に延びる２つの給電シャフトＡＳ，ＣＳを備えている。給電シャフトＡＳ，ＣＳおよび貫通孔１Ａ，１Ｃは、それぞれ、所定の方向における給電シャフトＡＳ，ＣＳの貫通孔１Ａ，１Ｃに対する位置ズレを抑制するように互いに係合する係合部ＳＥおよび被係合部１Ｅを含んでいる。これによれば、給電シャフトＡＳ，ＣＳが延びる所定の方向における位置ズレを抑制することができる。
【００４４】
（２）給電シャフトＡＳ，ＣＳは、相対的に大きな径を有し、所定の方向に沿って延びる第１のシャフト部分と、第１のシャフト部分より相対的に小さな径を有し、所定の方向に沿って延びる第２のシャフト部分と、を有している。第１のシャフト部分と第２のシャフト部分との間の段差凸部によって係合部が構成されている。貫通孔１Ａ，１Ｃは、相対的に大きな径を有し、所定の方向に沿って延びる第１の貫通孔部分と、第１の貫通孔部分より相対的に小さな径を有し、所定の方向に沿って延びる第２の貫通孔部分と、を有している。第１の貫通孔部分と第２の貫通孔部分との間の段差貫通孔によって被係合部が構成されている。これによれば、給電シャフトＡＳ，ＣＳおよび貫通孔１Ａ，１Ｃを容易に形成することができる。
【００４５】
（３）  電解水生成装置１００は、陽極Ａと、陰極Ｃと、陽極Ａと陰極Ｃとの間に設けられた陽イオン交換膜Ｉと、を備えている。電解水生成装置１００は、水が流入する流入口Ｆｉｎと、水が流出する流出口Ｆｏｕｔとを有し、陽極Ａ、陰極Ｃ、および陽イオン交換膜Ｉを内包するハウジング５を備えている。電解水生成装置１００は、陽極Ａおよび陰極Ｃにそれぞれ電気的に接続され、ハウジング５の２つの貫通孔１Ａ，１Ｃをそれぞれ突き抜けるように所定の方向に延びる２つの給電シャフトＡＳ，ＣＳを備えている。電解水生成装置１００は、給電シャフトＡＳ，ＣＳおよび貫通孔１Ａ，１Ｃは、それぞれ、所定の方向を回転軸とする給電シャフトＡＳ，ＣＳの貫通孔１Ａ，１Ｃに対する回転を抑制するように互いに嵌り合う嵌合部ＳＦおよび被嵌合部１Ｆを含んでいる。これによれば、給電シャフトＡＳ，ＣＳが延びる所定の方向の回りの回転を抑制することができる。
【００４６】
（４）  嵌合部ＳＦは、所定の方向に沿って延びる給電シャフトＡＳ，ＣＳの外側平面部であり、被嵌合部１Ｆは、所定の方向に沿って延びる貫通孔１Ａ，１Ｃの内側平面部であってもよい。これによれば、嵌合部ＳＦおよび被嵌合部１Ｆを容易に形成することができる。
【００４７】
（５）  電解水生成装置１００は、陽極Ａと、陰極Ｃと、陽極Ａと陰極Ｃとの間に設けられた陽イオン交換膜Ｉと、を備えている。電解水生成装置１００は、水が流入する流入口Ｆｉｎと、水が流出する流出口Ｆｏｕｔとを有し、陽極Ａ、陰極Ｃ、および陽イオン交換膜Ｉを内包するハウジング５を備えている。電解水生成装置１００は、陽極Ａおよび陰極Ｃにそれぞれ電気的に接続され、ハウジング５の２つの貫通孔１Ａ，１Ｃをそれぞれ突き抜けるように所定の方向に延びる２つの給電シャフトＡＳ，ＣＳを備えている。電解水生成装置１００は、陽極Ａおよび陰極Ｃそれぞれと給電シャフトＡＳ，ＣＳとを接続する２つのバネ部Ｂを備えている。これによれば、給電シャフトＡＳ，ＣＳに負荷が生じても、バネ部Ｂがその負荷に基づく給電シャフトＡＳ，ＣＳの位置ズレを吸収する。そのため、その位置ズレが陽極Ａおよび陰極Ｃの少なくともいずれか一方へ悪影響を与えることを抑制することができる。
【００４８】
（６）  バネ部Ｂは、所定の方向を回転中心軸として旋回するように渦巻き状をなしていてもよい。これによれば、その位置ズレが陽極Ａおよび陰極Ｃの少なくともいずれか一方へ悪影響を及ぼすことをより効果的に抑制することができる。
【符号の説明】
【００４９】
１Ａ，１Ｃ  貫通孔
１Ｅ  被係合部
１Ｆ  被嵌合部
５  ハウジング
１００  電解水生成装置
Ａ  陽極
ＡＳ  給電シャフト（陽極用の給電シャフト）
Ｂ  バネ部
Ｃ  陰極
ＣＳ  給電シャフト（陰極用の給電シャフト）
Ｉ  陽イオン交換膜
Ｆｉｎ  流入口
Ｆｏｕｔ  流出口
ＳＥ  係合部
ＳＦ  嵌合部
【図１】
2020011177.tif 000003
【図２】
2020011177.tif 000004
【図３】
2020011177.tif 000005
【図４】
2020011177.tif 000006
【図５】
2020011177.tif 000007
【図６】
2020011177.tif 000008